(57)【要約】【課題】スルー画の取得に引き続き、記憶媒体への記録用の画像を取得するように撮影を行う場合であっても測距センサによる測距を可能とするカメラを提供する。【解決手段】第２ミラー３２１をハーフミラーとし、サブミラーユニット３２０の第２のダウン位置において第２ミラー３２１が撮影光路内に位置して撮影光束の一部を反射させてＡＦモジュール５１へ導き、一部を透過させて撮像素子７１に導くように構成した。したがって、第２ミラー３２１（サブミラーユニット３２０）を撮影光路から退避させなくてもライブビュー画像の取得ができる。【選択図】図１
2010128461.tif 000002
【特許請求の範囲】
【請求項１】
撮影光路中に挿入されるダウン位置と、撮影光路から退避したアップ位置との２位置の間で駆動され、撮影レンズを透過した撮影光束を反射してファインダ光学系に導くとともに、一部の光束を透過させるメインミラーと、
前記メインミラーを透過した撮影光束を反射するとともに、一部の光束を透過させるサブミラーと、
前記サブミラーで反射された撮影光束に基づいて撮影レンズによる焦点調節状態を検出する焦点検出手段と、
撮影光束を撮像する撮像素子とを備え、
前記サブミラーは、前記撮影光路中に挿入された状態で、反射させた撮影光束を前記焦点検出手段に入射させるとともに、透過させた撮影光束を前記撮像素子に入射させることを特徴とするカメラ。
【請求項２】
請求項１に記載のカメラにおいて、
前記撮像素子で撮像して得られた被写体像の画像を画像データとして記憶媒体に記録させる記録手段をさらに備え、
前記サブミラーは、前記メインミラーがアップ位置へ退避しても前記撮影光路中に挿入された状態を維持することが可能であり、前記撮影光路中に挿入された状態では反射させた撮影光束を前記焦点検出手段に入射させるとともに、透過させた撮影光束を前記撮像素子に入射させ、
前記焦点検出手段は、前記メインミラーがアップ位置へ退避し、かつ、前記サブミラーが前記撮影光路中に挿入された状態で、前記サブミラーで反射された撮影光束に基づいて撮影レンズによる焦点調節状態を検出し、
前記撮像素子は、前記メインミラーがアップ位置へ退避し、かつ、前記サブミラーが前記撮影光路中に挿入された状態で、前記サブミラーを透過した撮影光束を撮像し、
前記記録手段は、前記メインミラーがアップ位置へ退避し、かつ、前記サブミラーが前記撮影光路中に挿入された状態で、前記サブミラーを透過した撮影光束を前記撮像素子が撮像することで得られた被写体像の画像を画像データとして記憶媒体に記録させることを特徴とするカメラ。
【請求項３】
請求項２に記載のカメラにおいて、
前記サブミラーは、前記メインミラーがアップ位置へ退避すると前記撮影光路から退避可能であり、
前記焦点検出手段は、前記サブミラーが前記撮影光路から退避する前に前記サブミラーで反射された撮影光束に基づいて撮影レンズによる焦点調節状態を検出し、
前記撮像素子は、前記メインミラーがアップ位置へ退避し、かつ、前記サブミラーが前記撮影光路から退避した状態で、撮影光束を撮像し、
前記記録手段は、前記メインミラーがアップ位置へ退避し、かつ、前記サブミラーが前記撮影光路から退避した状態で、撮影光束を前記撮像素子が撮像することで得られた被写体像の画像を画像データとして記憶媒体に記録させることを特徴とするカメラ。
【請求項４】
請求項２に記載のカメラにおいて、
前記メインミラーおよび前記サブミラーを駆動するミラー駆動手段と、
前記撮像素子で予備的に繰り返して撮像することで得られる複数の画像の画像データに基づいて、被写体像の動きの有無を検出する動き検出手段と、
前記動き検出手段で被写体像の動きがあることが検出されると、前記メインミラーがアップ位置へ退避し、かつ、前記サブミラーが前記撮影光路中に挿入された状態となるように前記ミラー駆動手段を制御し、前記メインミラーがアップ位置へ退避し、かつ、前記サブミラーが前記撮影光路中に挿入された状態で、前記サブミラーを透過した撮影光束を撮像するように前記撮像素子を制御し、前記メインミラーがアップ位置へ退避し、かつ、前記サブミラーが前記撮影光路中に挿入された状態で、前記サブミラーを透過した撮影光束を前記撮像素子が撮像することで得られた被写体像の画像を画像データとして記憶媒体に記録させるように前記記録手段を制御する制御手段とをさらに備えることを特徴とするカメラ。
【請求項５】
請求項２に記載のカメラにおいて、
前記メインミラーおよび前記サブミラーを駆動するミラー駆動手段と、
撮影シーンに応じた撮影モードを設定するための撮影モード設定手段と、
動きのある被写体の撮影に適した撮影モードが前記撮影モード設定手段で設定されたことが検出されると、前記メインミラーがアップ位置へ退避し、かつ、前記サブミラーが前記撮影光路中に挿入された状態となるように前記ミラー駆動手段を制御し、前記メインミラーがアップ位置へ退避し、かつ、前記サブミラーが前記撮影光路中に挿入された状態で、前記サブミラーを透過した撮影光束を撮像するように前記撮像素子を制御し、前記メインミラーがアップ位置へ退避し、かつ、前記サブミラーが前記撮影光路中に挿入された状態で、前記サブミラーを透過した撮影光束を前記撮像素子が撮像することで得られた被写体像の画像を画像データとして記憶媒体に記録させるように前記記録手段を制御する制御手段とをさらに備えることを特徴とするカメラ。
【請求項６】
請求項３に記載のカメラにおいて、
前記制御手段は、前記動き検出手段で被写体像の動きがないことが検出されると、前記メインミラーがアップ位置へ退避し、かつ、前記サブミラーが前記撮影光路から退避した状態となるように前記ミラー駆動手段を制御し、前記メインミラーがアップ位置へ退避し、かつ、前記サブミラーが前記撮影光路から退避した状態で、撮影光束を撮像するように前記撮像素子を制御し、前記メインミラーがアップ位置へ退避し、かつ、前記サブミラーが前記撮影光路から退避した状態で、撮影光束を前記撮像素子が撮像することで得られた被写体像の画像を画像データとして記憶媒体に記録させるように前記記録手段を制御することを特徴とするカメラ。
【請求項７】
請求項５に記載のカメラにおいて、
前記制御回路は、動きのない被写体の撮影に適した撮影モードが前記撮影モード設定手段で設定されたことが検出されると、前記メインミラーがアップ位置へ退避し、かつ、前記サブミラーが前記撮影光路から退避した状態となるように前記ミラー駆動手段を制御し、前記メインミラーがアップ位置へ退避し、かつ、前記サブミラーが前記撮影光路から退避した状態で、撮影光束を撮像するように前記撮像素子を制御し、前記メインミラーがアップ位置へ退避し、かつ、前記サブミラーが前記撮影光路から退避した状態で、撮影光束を前記撮像素子が撮像することで得られた被写体像の画像を画像データとして記憶媒体に記録させるように前記記録手段を制御することを特徴とするカメラ。
【請求項８】
請求項２〜７のいずれか一項に記載のカメラにおいて、
前記撮影レンズの焦点調節を行う焦点調節手段をさらに備え、
前記メインミラーがアップ位置へ退避し、かつ、前記サブミラーが前記撮影光路中に挿入された状態で、前記サブミラーを透過した撮影光束を前記撮像素子で撮像する場合には、前記焦点検出手段が検出した焦点調節状態に基づいて前記撮影レンズの焦点調節を行い、次いで、前記撮像素子で予備的に繰り返して撮像することで得られる画像のコントラストに基づいて前記撮影レンズの焦点調節を行うように、前記焦点調節手段を制御する焦点調節制御手段をさらに備えることを特徴とするカメラ。
【請求項９】
請求項１〜８のいずれか一項に記載のカメラにおいて、
前記サブミラーは、前記撮影光路中に挿入された状態では、前記メインミラーがダウン位置に駆動された状態と、アップ位置に駆動された状態とで、略同一平面上に位置することを特徴とするカメラ。
【請求項１０】
請求項１〜９のいずれか一項に記載のカメラにおいて、
前記メインミラーがアップ位置へ退避し、かつ、前記サブミラーが前記撮影光路中に挿入された状態で、前記ファインダ光学系から前記撮影光路中への光を遮光する遮光手段をさらに備えることを特徴とするカメラ。
【発明の詳細な説明】
【技術分野】
【０００１】
本発明は、メインミラーおよびサブミラーを有する一眼レフタイプのカメラに関する。
【背景技術】
【０００２】
撮像素子で繰り返し撮像することで得られる予備撮影画像（スルー画）をカメラボディの背面などに配設した表示装置に表示するように構成された一眼レフタイプのカメラが知られている。この従来のカメラでは、スルー画の取得に引き続き、記憶媒体への記録用の画像を取得するように撮影を行う場合、スルー画のコントラストに基づくコントラストＡＦによって撮影レンズの焦点調節を行っていた。しかし、コントラストＡＦによって撮影レンズの焦点調節をする場合、測距センサを用いた位相差ＡＦによって撮影レンズの焦点調節をする場合と比べて、合焦に要する時間が長い。
【０００３】
この問題を解決するため、スルー画の取得に引き続き、記憶媒体への記録用の画像を取得するように撮影を行う場合であっても測距センサによる測距を可能とするために、ハーフミラーであるメインミラーの下端側が上端側よりも撮像素子側に近づくように撮影光路内で回動させて、メインミラーで反射された撮影光束（被写体光）が測距センサに導かれるように構成されたカメラが知られている（特許文献１参照）。
【０００４】
【特許文献１】特開２００４−２６４８３２号公報
【発明の開示】
【発明が解決しようとする課題】
【０００５】
しかし、上述した特許文献に記載のカメラでは、メインミラーで反射された被写体光が測距センサに導かれるようにするために、サブミラーをメインミラーの回動範囲から退避させなければならない。そのため、サブミラーの退避場所の確保やサブミラーを退避させるための駆動機構が必要となり、カメラの大型化やミラー駆動機構の複雑化を招く。
【課題を解決するための手段】
【０００６】
（１）  請求項１の発明によるカメラは、撮影光路中に挿入されるダウン位置と、撮影光路から退避したアップ位置との２位置の間で駆動され、撮影レンズを透過した撮影光束を反射してファインダ光学系に導くとともに、一部の光束を透過させるメインミラーと、メインミラーを透過した撮影光束を反射するとともに、一部の光束を透過させるサブミラーと、サブミラーで反射された撮影光束に基づいて撮影レンズによる焦点調節状態を検出する焦点検出手段と、撮影光束を撮像する撮像素子とを備え、サブミラーは、撮影光路中に挿入された状態で、反射させた撮影光束を焦点検出手段に入射させるとともに、透過させた撮影光束を前記撮像素子に入射させることを特徴とする。
（２）  請求項２の発明は、請求項１に記載のカメラにおいて、撮像素子で撮像して得られた被写体像の画像を画像データとして記憶媒体に記録させる記録手段をさらに備え、サブミラーは、メインミラーがアップ位置へ退避しても撮影光路中に挿入された状態を維持することが可能であり、撮影光路中に挿入された状態では反射させた撮影光束を焦点検出手段に入射させるとともに、透過させた撮影光束を前記撮像素子に入射させ、焦点検出手段は、メインミラーがアップ位置へ退避し、かつ、サブミラーが撮影光路中に挿入された状態で、サブミラーで反射された撮影光束に基づいて撮影レンズによる焦点調節状態を検出し、撮像素子は、メインミラーがアップ位置へ退避し、かつ、サブミラーが撮影光路中に挿入された状態で、サブミラーを透過した撮影光束を撮像し、記録手段は、メインミラーがアップ位置へ退避し、かつ、サブミラーが撮影光路中に挿入された状態で、サブミラーを透過した撮影光束を撮像素子が撮像することで得られた被写体像の画像を画像データとして記憶媒体に記録させることを特徴とする。
（３）  請求項３の発明は、請求項２に記載のカメラにおいて、サブミラーは、メインミラーがアップ位置へ退避すると撮影光路から退避可能であり、焦点検出手段は、サブミラーが撮影光路から退避する前にサブミラーで反射された撮影光束に基づいて撮影レンズによる焦点調節状態を検出し、撮像素子は、メインミラーがアップ位置へ退避し、かつ、サブミラーが撮影光路から退避した状態で、撮影光束を撮像し、記録手段は、メインミラーがアップ位置へ退避し、かつ、サブミラーが撮影光路から退避した状態で、撮影光束を撮像素子が撮像することで得られた被写体像の画像を画像データとして記憶媒体に記録させることを特徴とする。
（４）  請求項４の発明は、請求項２に記載のカメラにおいて、メインミラーおよびサブミラーを駆動するミラー駆動手段と、撮像素子で予備的に繰り返して撮像することで得られる複数の画像の画像データに基づいて、被写体像の動きの有無を検出する動き検出手段と、動き検出手段で被写体像の動きがあることが検出されると、メインミラーがアップ位置へ退避し、かつ、サブミラーが撮影光路中に挿入された状態となるようにミラー駆動手段を制御し、メインミラーがアップ位置へ退避し、かつ、サブミラーが撮影光路中に挿入された状態で、サブミラーを透過した撮影光束を撮像するように撮像素子を制御し、メインミラーがアップ位置へ退避し、かつ、サブミラーが撮影光路中に挿入された状態で、サブミラーを透過した撮影光束を撮像素子が撮像することで得られた被写体像の画像を画像データとして記憶媒体に記録させるように記録手段を制御する制御手段とをさらに備えることを特徴とする。
（５）  請求項５の発明は、請求項２に記載のカメラにおいて、メインミラーおよびサブミラーを駆動するミラー駆動手段と、撮影シーンに応じた撮影モードを設定するための撮影モード設定手段と、動きのある被写体の撮影に適した撮影モードが撮影モード設定手段で設定されたことが検出されると、メインミラーがアップ位置へ退避し、かつ、サブミラーが撮影光路中に挿入された状態となるようにミラー駆動手段を制御し、メインミラーがアップ位置へ退避し、かつ、サブミラーが撮影光路中に挿入された状態で、サブミラーを透過した撮影光束を撮像するように撮像素子を制御し、メインミラーがアップ位置へ退避し、かつ、サブミラーが撮影光路中に挿入された状態で、サブミラーを透過した撮影光束を撮像素子が撮像することで得られた被写体像の画像を画像データとして記憶媒体に記録させるように記録手段を制御する制御手段とをさらに備えることを特徴とする。
（６）  請求項６の発明は、請求項３に記載のカメラにおいて、制御手段は、動き検出手段で被写体像の動きがないことが検出されると、メインミラーがアップ位置へ退避し、かつ、サブミラーが撮影光路から退避した状態となるようにミラー駆動手段を制御し、メインミラーがアップ位置へ退避し、かつ、サブミラーが撮影光路から退避した状態で、撮影光束を撮像するように撮像素子を制御し、メインミラーがアップ位置へ退避し、かつ、サブミラーが撮影光路から退避した状態で、撮影光束を撮像素子が撮像することで得られた被写体像の画像を画像データとして記憶媒体に記録させるように記録手段を制御することを特徴とする。
（７）  請求項７の発明は、請求項５に記載のカメラにおいて、制御回路は、動きのない被写体の撮影に適した撮影モードが撮影モード設定手段で設定されたことが検出されると、メインミラーがアップ位置へ退避し、かつ、サブミラーが撮影光路から退避した状態となるようにミラー駆動手段を制御し、メインミラーがアップ位置へ退避し、かつ、サブミラーが撮影光路から退避した状態で、撮影光束を撮像するように撮像素子を制御し、メインミラーがアップ位置へ退避し、かつ、サブミラーが撮影光路から退避した状態で、撮影光束を撮像素子が撮像することで得られた被写体像の画像を画像データとして記憶媒体に記録させるように記録手段を制御することを特徴とする。
（８）  請求項８の発明は、請求項２〜７のいずれか一項に記載のカメラにおいて、撮影レンズの焦点調節を行う焦点調節手段をさらに備え、メインミラーがアップ位置へ退避し、かつ、サブミラーが撮影光路中に挿入された状態で、サブミラーを透過した撮影光束を撮像素子で撮像する場合には、焦点検出手段が検出した焦点調節状態に基づいて撮影レンズの焦点調節を行い、次いで、撮像素子で予備的に繰り返して撮像することで得られる画像のコントラストに基づいて撮影レンズの焦点調節を行うように、焦点調節手段を制御する焦点調節制御手段をさらに備えることを特徴とする。
（９）  請求項９の発明は、請求項１〜８のいずれか一項に記載のカメラにおいて、サブミラーは、撮影光路中に挿入された状態では、メインミラーがダウン位置に駆動された状態と、アップ位置に駆動された状態とで、略同一平面上に位置することを特徴とする。
（１０）  請求項１０の発明は、請求項１〜９のいずれか一項に記載のカメラにおいて、メインミラーがアップ位置へ退避し、かつ、サブミラーが撮影光路中に挿入された状態で、ファインダ光学系から撮影光路中への光を遮光する遮光手段をさらに備えることを特徴とする。
【発明の効果】
【０００７】
本発明によれば、カメラの大型化やミラー駆動機構の複雑化を防止できる。
【発明を実施するための最良の形態】
【０００８】
図１〜５を参照して、本発明を適用したカメラの一実施の形態を説明する。図１は、本発明によるカメラであるカメラボディ１００と撮影レンズ２００の断面を模式的に示す図であり、通常撮影時におけるレリーズ開始前の状態を示している。カメラボディ１００には、レンズマウント１１の後方に撮影光路を形成するミラーボックス２０が設けられ、その後方にシャッター１が、さらにその後方に撮像ユニット７０が配置される。またミラーボックス２０の上方には、ファインダ光学系６０が配置される。シャッター１は撮影開口を開放および遮光する不図示の先幕遮光羽根群および後幕遮光羽根群を有する。
【０００９】
レンズマウント１１にはレンズ群２０１を備えた交換レンズ（撮影レンズ）２００が装着され、撮影レンズ２００を透過した被写体光（撮影光束）は、レンズマウント１１の開口からミラーボックス２０内に入射する。ミラーボックス２０内にはミラーユニット３００が配置されている。ミラーユニット３００については後に詳述する。
【００１０】
撮像ユニット７０には、撮像素子７１と、撮像素子７１の前面に配設された光学フィルタ７２とが一体的に設けられている。撮像素子７１は、たとえばＣＣＤイメージセンサなどによって構成される。撮像素子７１は、撮影レンズ２００を通過した被写体光による像を撮像し、撮像信号（アナログ撮像信号）を出力する。
【００１１】
ミラーボックス２０の下方の空間には、ＡＦモジュール５１が配置される。また、ミラーボックス２０の上方のファインダ光学系６０には、測光ユニット８０が設けられている。ＡＦモジュール５１は、公知の位相差検出方式のＡＦセンサを備えており、撮影レンズ２００のレンズ群２０１による焦点調節状態を検出する焦点検出時に用いられる。測光ユニット８０は、ファインダ光学系６０のペンタプリズム６１の後方に設けられており、ファインダ光学系６０に入射した被写体光を受光して光電変換する素子を含み、その光電変換出力が測光に利用される。カメラボディ１００の背面側には、撮影時の各種情報やスルー画などを表示するモニター１０７が配設されている。モニター１０７は、たとえば液晶表示装置（ＬＣＤ）などの表示装置である。なお、スルー画（スルー画像、またはライブビュー画像とも呼ぶ）は、記憶媒体への記録用の画像を取得するための撮影（本撮影）の前段階として撮像素子７１で繰り返し撮像することで取得される予備撮影画像である。
【００１２】
図２は、カメラボディ１００の各部を制御する回路構成を示す図である。カメラボディ１００の制御回路は、ＣＰＵ１０１と、撮像素子駆動回路１０３と、ＡＦＥ（Analog Front End 回路）１０４と、Ａ／Ｄ変換回路１０５と、ＡＳＩＣ１０６と、画像表示回路１０８と、ライブビュースイッチ１０９と、半押し操作スイッチ１１０と、全押し操作スイッチ１１１とを備えている。また、カメラボディ１００の制御回路は、ＡＦ回路１１２と、ＡＦレンズ駆動回路１１４と、ミラー駆動回路１１６と、シャッター駆動回路１１８とを備えている。ＣＰＵ１０１は、各部から出力される信号を入力して所定の演算を行い、演算結果に基づく制御信号を各部へ出力する。撮像素子駆動回路１０３は、ＣＰＵ１０１から送出される指示に応じて、撮像素子７１による被写体像の撮像を制御する。
【００１３】
ＡＦＥ１０４は、ＩＳＯ感度の調整など、撮像素子７１から出力されたアナログ撮像信号の処理を行う。Ａ／Ｄ変換回路１０５は、ＡＦＥ１０４から出力されたアナログ撮像信号をデジタル信号に変換してＡＳＩＣ１０６に出力する。ＡＳＩＣ１０６は、Ａ／Ｄ変換回路１０５から出力されたデジタル変換後の画像データにホワイトバランス処理などの画像処理を行うほか、画像サイズの変更や、画像処理後の画像データを所定の形式で圧縮する圧縮処理、圧縮された画像データを伸長する伸長処理などを行う。
【００１４】
画像表示回路１０８は、ＣＰＵ１０１から出力される信号に基づいて、モニター１０７の表示制御を行う。ライブビュースイッチ１０９は、ライブビュー撮影モードと通常の撮影モード（通常撮影モード）とを切り替えるためのスイッチであり、不図示の撮影モード切り替えボタンの操作に連動した操作信号をＣＰＵ１０１に出力する。なお、ライブビュー撮影モードとは、モニター１０７にライブビュー画像を表示させた状態で撮影を行う撮影モードのことである。
【００１５】
半押し操作スイッチ１１０は、不図示のレリーズボタンが半押し操作されると半押し操作信号をＣＰＵ１０１に出力するスイッチである。全押し操作スイッチ１１１は、不図示のレリーズボタンが全押し操作されると全押し操作信号をＣＰＵ１０１に出力するスイッチである。ＡＦ回路１１２は、ＡＦモジュール５１から出力される信号に基づいて、焦点評価値（コントラスト値）を得てＣＰＵ１０１に出力する。ＡＦレンズ駆動回路１１４は、ＣＰＵ１０１から出力される信号に基づいて、撮影レンズ２００のレンズ群２０１による焦点調節状態を制御する。ミラー駆動回路１１６は、ＣＰＵ１０１から出力される信号に基づいて、ミラーユニット３００の駆動を制御する。シャッター駆動回路１１８は、ＣＰＵ１０１から出力される信号に基づいて、シャッター１の開閉を制御する。
【００１６】
−−−ミラーユニット３００−−−
ミラーユニット３００は、メインミラーユニット３１０と、サブミラーユニット３２０とを有する。メインミラーユニット３１０は、メインミラー（第１ミラー）３１１と、第１ミラー３１１の支持部材３１２とを備えている。第１ミラー３１１は、ハーフミラーであり、入射した撮影光束の一部を反射し、一部を透過させる。支持部材３１２は、第１ミラー３１１を支持する部材であり、支持部材３１２の前面側に第１ミラー３１１が取り付けられている。支持部材３１２の一端側は、ミラーボックス２０後部においてカメラ横方向の軸Ｘ回りに回動可能に支持されている。
【００１７】
図１に示すように、メインミラーユニット３１０が軸Ｘを中心に図示反時計方向に最も回動された位置を観察位置（ミラーダウン位置またはダウン位置）と呼び、後に詳述する図３，４に示すように、図示時計方向に最も回動された位置を通常撮影位置（ミラーアップ位置またはアップ位置）と呼ぶ。ダウン位置では、メインミラーユニット３１０は撮影光路中に挿入されて、撮影レンズ２００を透過した撮影光束を第１ミラー３１１が反射してファインダ光学系６０に導くとともに、一部の光束を第１ミラー３１１が後方に透過させてサブミラーユニット３２０に導く。アップ位置では、メインミラーユニット３１０は撮影光路中から退避する。
【００１８】
支持部材３１２には、第１ミラー３１１を透過した撮影光束をサブミラーユニット３２０に導くための開口である開口部３１３と、この開口部３１３を遮蔽および開放する遮光部材３１４（図示ハッチング部分）とが設けられている。遮光部材３１４は、カメラ横方向の軸３１４ｘを中心に、支持部材３１２に対して回動可能に軸支されている。遮光部材３１４は、メインミラーユニット３１０がダウン位置に回動されると、軸３１４ｘを中心に図示時計方向に回動して、開口部３１３を開放するように構成されている。遮光部材３１４は、メインミラーユニット３１０がアップ位置に回動されると、軸３１４ｘを中心に図示反時計方向に回動して、図３，４に示すように、開口部３１３を遮蔽するように構成されている。メインミラーユニット３１０がアップ位置に回動され、開口部３１３が遮光部材３１４で遮蔽されると、ミラーボックス２０からの光がファインダ光学系６０側に漏れないように、および、ファインダ光学系６０からの光がミラーボックス２０内に漏れないように構成されている。
【００１９】
サブミラーユニット３２０は、支持部材３１２の背面側に取り付けられており、サブミラー（第２ミラー）３２１と、第２ミラー３２１の不図示の支持部材（第２ミラー支持部材）とを備えている。第２ミラー３２１は、ハーフミラーであり、入射した撮影光束の一部を反射し、一部を透過させる。第２ミラー支持部材の一端側は、支持部材３１２の背面側においてカメラ横方向の軸３２１ｘ回りに回動可能に支持されている。サブミラーユニット３２０は、メインミラーユニット３１０がダウン位置にある場合、およびアップ位置にある場合のそれぞれにおいて、撮影光路内に位置することができるように構成されている。また、サブミラーユニット３２０は、メインミラーユニット３１０がアップ位置にある場合に、撮影光路から退避できるようにも構成されている。
【００２０】
図１に示すように、メインミラーユニット３１０がダウン位置にあるときに、サブミラーユニット３２０は撮影光路内に位置して、第１ミラーを透過した撮影光束の一部を反射してＡＦモジュール５１へ導き、一部を透過させて撮像素子７１に導く。このときのサブミラーユニット３２０の位置を第１のダウン位置と呼ぶ。図３に示すように、メインミラーユニット３１０がアップ位置にあるときに、サブミラーユニット３２０が撮影光路内に留まると、第２ミラー３２１は撮影光束の一部を反射してＡＦモジュール５１へ導き、一部を透過させて撮像素子７１に導く。このときのサブミラーユニット３２０の位置を第２のダウン位置と呼ぶ。また、上述したように、メインミラーユニット３１０がアップ位置にあるときに、サブミラーユニット３２０は撮影光路から退避できるように構成されている。図４に示すように撮影光路から退避したときのサブミラーユニット３２０の位置を退避位置と呼ぶ。
【００２１】
なお、サブミラーユニット３２０は、第１のダウン位置と第２のダウン位置とで、ＡＦモジュール５１に入射する撮影光束の入射角度が略一致するように、第１のダウン位置と第２のダウン位置とで第２ミラー３２１が略同一平面（図１，３の平面Ｓ）に位置するように構成されている。ここで、図１に示すように、メインミラーユニット３１０がダウン位置にあり、サブミラーユニット３２０が第１のダウン位置にあるときの第１ミラー３１１と第２ミラー３２１とのなす角度α１とし、このときの第２ミラー３２１に入射する撮影光束と第２ミラー３２１で反射される撮影光束とのなす角度をβ１とする。図３に示すように、メインミラーユニット３１０がアップ位置にあり、サブミラーユニット３２０が第２のダウン位置にあるときの第１ミラー３１１と第２ミラー３２１とのなす角度α２とし、このときの第２ミラー３２１に入射する撮影光束と第２ミラー３２１で反射される撮影光束とのなす角度をβ２とする。角度α１とα２とは異なる角度となるが、角度β１とβ２とは略同じ角度となる。
【００２２】
−−−通常撮影モード設定時の動作説明−−−
このように構成されるカメラボディ１００では、撮影モードが通常撮影モードに設定されている場合には、次のように動作する。たとえば、不図示の電源スイッチがオンされると、ＣＰＵ１０１は撮影モードを通常撮影モードに設定する。また、後述するようにライブビュー撮影モード設定時であっても、不図示の撮影モード切り替えボタンが操作されて、ライブビュースイッチ１０９からの操作信号を受信すると、ＣＰＵ１０１は撮影モードを通常撮影モードに設定する。
【００２３】
通常撮影モードに設定されている場合、レリーズ動作開始前には、図１に示すように、メインミラーユニット３１０がダウン位置に、サブミラーユニット３２０が第１のダウン位置にそれぞれ位置している。これにより、撮影レンズ２００を透過した撮影光束は、第１ミラー３１１で反射されてファインダ光学系６０に導かれるとともに、一部の光束は第１ミラー３１１の後方に透過してサブミラーユニット３２０に導かれる。第１ミラーを透過した撮影光束は、その一部が第２ミラー３２１で反射されてＡＦモジュール５１へ導かれ、一部が第２ミラー３２１を透過する。なお、レリーズ動作開始前には、シャッター１が閉じられているため、第２ミラー３２１を透過した撮影光束はシャッター１で遮られ、撮像素子７１には届かない。撮影者は、ファインダ光学系６０を通して被写体像を視認できる。
【００２４】
不図示のレリーズボタンが半押し操作されて、半押し操作スイッチ１１０から出力される半押し操作信号を受信すると、ＣＰＵ１０１は、測光ユニット８０の出力信号に基づいて公知の測光演算を行い、シャッタ速度（シャッタ秒時）、制御絞り値を算出する。また、半押し操作信号を受信すると、ＣＰＵ１０１は、ＡＦ回路１１２から出力される焦点評価値の情報に基づいて公知の測光演算および位相差ＡＦによる測距演算を行う。そして、ＣＰＵ１０１は、撮影レンズ２００のレンズ群２０１を駆動するための制御信号をＡＦレンズ駆動回路１１４に出力する。ＡＦレンズ駆動回路１１４は、ＣＰＵ１０１から出力される制御信号に基づいて、撮影レンズ２００のレンズ群２０１による焦点調節状態を制御する。これにより、レンズ群２０１による焦点調節状態が位相差ＡＦによって制御される。
【００２５】
次いで、不図示のレリーズボタンが全押し操作されて、全押し操作スイッチ１１１から出力される全押し操作信号を受信すると、ＣＰＵ１０１は、メインミラーユニット３１０をアップ位置に、サブミラーユニット３２０を退避位置にそれぞれ移動するようにミラー駆動回路１１６に制御信号を出力する。ミラー駆動回路１１６は、ＣＰＵ１０１から出力される制御信号に基づいて、メインミラーユニット３１０をアップ位置に、サブミラーユニット３２０を退避位置にそれぞれ移動するようにミラーユニット３００の駆動を制御する。これにより、図４に示すように、メインミラーユニット３１０がアップ位置に、サブミラーユニット３２０が退避位置にそれぞれ移動するので、メインミラーユニット３１０およびサブミラーユニット３２０は、撮影レンズ２００を透過した撮影光束を遮らない。
【００２６】
その後、ＣＰＵ１０１は、先に算出した制御絞り値に撮影レンズ２００の絞りが絞り込まれるように公知の絞り制御を行う。そして、先に算出したシャッタ秒時だけ撮像素子７１が露光されて被写体像が撮像されるように、シャッター駆動回路１１８および撮像素子駆動回路１０３に制御信号を出力する。これにより、撮像素子７１で被写体像が撮像される。撮像素子７１で被写体像が撮像されると、ＡＦＥ１０４、Ａ／Ｄ変換回路１０５、およびＡＳＩＣ１０６でそれぞれ信号が処理される。ＣＰＵ１０１は、ＡＳＩＣ１０６で処理された画像データを、たとえば着脱可能な不図示の記憶媒体に記録させる。
【００２７】
撮像素子７１で被写体像が撮像されると、ＣＰＵ１０１は、メインミラーユニット３１０をダウン位置に、サブミラーユニット３２０を第１のダウン位置にそれぞれ移動するようにミラー駆動回路１１６に制御信号を出力する。ミラー駆動回路１１６は、ＣＰＵ１０１から出力される制御信号に基づいて、メインミラーユニット３１０をダウン位置に、サブミラーユニット３２０を第１のダウン位置にそれぞれ移動するようにミラーユニット３００の駆動を制御する。これにより、図１に示すように、メインミラーユニット３１０がダウン位置に、サブミラーユニット３２０が第１のダウン位置にそれぞれ移動して、撮影開始前の状態に復帰する。ＣＰＵ１０１は、シャッター１の先幕遮光羽根群および後幕遮光羽根群を撮影開始前の状態に戻すようにシャッター駆動回路１１８に制御信号を出力する。これにより、シャッター１の先幕遮光羽根群および後幕遮光羽根群がレリーズ動作開始前（撮影開始前）の状態に戻る。
【００２８】
−−−ライブビュー撮影モード設定時の動作説明−−−
撮影モードがライブビュー撮影モードに設定された場合には、カメラボディ１００の各部は次のように動作する。不図示の電源スイッチがオンされて、上述したように撮影モードが通常撮影モードに設定されている時に、不図示の撮影モード切り替えボタンが操作されて、ライブビュースイッチ１０９からの操作信号を受信すると、ＣＰＵ１０１は撮影モードをライブビュー撮影モードに設定する。撮影モードがライブビュー撮影モードに設定されると、ＣＰＵ１０１は、メインミラーユニット３１０をアップ位置に、サブミラーユニット３２０を第２のダウン位置にそれぞれ移動するようにミラー駆動回路１１６に制御信号を出力する。ミラー駆動回路１１６は、ＣＰＵ１０１から出力される制御信号に基づいて、メインミラーユニット３１０をアップ位置に、サブミラーユニット３２０を第２のダウン位置にそれぞれ移動するようにミラーユニット３００の駆動を制御する。
【００２９】
これにより、図３に示すように、メインミラーユニット３１０がアップ位置に、サブミラーユニット３２０が第２のダウン位置にそれぞれ移動する。撮影レンズ２００を透過した撮影光束は、メインミラーユニット３１０で遮られることなく第２ミラー３２１に到達し、一部が第２ミラー３２１で反射されてＡＦモジュール５１へ導かれ、一部が第２ミラー３２１を透過する。ＣＰＵ１０１は、シャッター１の先幕遮光羽根群だけを走行させて撮影開口を開放するようにシャッター駆動回路１１８に制御信号を出力する。これにより、第２ミラー３２１を透過した撮影光束が撮像素子７１に到達する。なお、上述したように、メインミラーユニット３１０がアップ位置に回動されると開口部３１３が遮光部材３１４で遮蔽されるので、ファインダ光学系６０からの光がミラーボックス２０内に漏れず、撮像素子７１はファインダ光学系６０からの光の影響を受けることがない。
【００３０】
ＣＰＵ１０１は、第２ミラー３２１を透過した撮影光束による被写体像を撮像素子７１で繰り返し撮像することでスルー画を得るように各部を制御するとともに、得られたスルー画（ライブビュー画像）をモニター１０７に表示するように各部を制御する。撮影者は、モニター１０７に表示されたライブビュー画像を見ることで、被写体像を視認できる。
【００３１】
不図示のレリーズボタンが半押し操作されて、半押し操作スイッチ１１０から出力される半押し操作信号を受信すると、ＣＰＵ１０１は、撮像素子７１で繰り返し撮像することで得られたライブビュー画像に基づいて公知の測光演算を行い、シャッタ速度（シャッタ秒時）、制御絞り値を算出する。これは、上述したように、メインミラーユニット３１０がアップ位置に回動され、開口部３１３が遮光部材３１４で遮蔽されると、ミラーボックス２０からの光がファインダ光学系６０側に漏れないように構成されているため、測光ユニット８０の出力信号に基づいて公知の測光演算を行うことができないからである。
【００３２】
また、半押し操作信号を受信すると、ＣＰＵ１０１は、ＡＦ回路１１２から出力される焦点評価値の情報に基づいて公知の位相差ＡＦによる測距演算を行う。そして、ＣＰＵ１０１は、撮影レンズ２００のレンズ群２０１を駆動するための制御信号をＡＦレンズ駆動回路１１４に出力する。ＡＦレンズ駆動回路１１４は、ＣＰＵ１０１から出力される制御信号に基づいて、撮影レンズ２００のレンズ群２０１による焦点調節状態を制御する。これにより、レンズ群２０１による焦点調節状態が位相差ＡＦによって制御される。
【００３３】
その後、ＣＰＵ１０１は、撮像素子７１で繰り返し撮像することで得られたライブビュー画像に基づいて、公知のコントラストＡＦによってレンズ群２０１による焦点調節状態を制御する。このように、本実施の形態のカメラボディ１００では、撮影モードがライブビュー撮影モードに設定されていても、レンズ群２０１による焦点調節状態を位相差ＡＦによって制御できる。また、位相差ＡＦによる制御によってレンズ群２０１による焦点調節状態が適切に調節された後に、コントラストＡＦによる制御によってレンズ群２０１による焦点調節状態をさらに微調節できる。したがって、位相差ＡＦによって撮影レンズ２００のピントを素早く調節し、その後、コントラストＡＦによってさらに精度良く撮影レンズ２００のピント調節ができる。すなわち、本実施の形態のカメラボディ１００では、位相差ＡＦによる合焦速度の向上と、コントラストＡＦによる合焦精度の向上とを両立できる。
【００３４】
次いで、不図示のレリーズボタンが全押し操作されて、全押し操作スイッチ１１１から出力される全押し操作信号を受信すると、ＣＰＵ１０１は、サブミラーユニット３２０を退避位置に移動するようにミラー駆動回路１１６に制御信号を出力する。ミラー駆動回路１１６は、ＣＰＵ１０１から出力される制御信号に基づいて、サブミラーユニット３２０を退避位置に移動するようにミラーユニット３００の駆動を制御する。これにより、図４に示すように、メインミラーユニット３１０がアップ位置に、サブミラーユニット３２０が退避位置にそれぞれ移動するので、メインミラーユニット３１０およびサブミラーユニット３２０は、撮影レンズ２００を透過した撮影光束を遮らない。
【００３５】
その後、ＣＰＵ１０１は、先に算出した制御絞り値に撮影レンズ２００の絞りが絞り込まれるように公知の絞り制御を行う。そして、先に算出したシャッタ秒時だけ撮像素子７１が露光されて被写体像が撮像されるように、撮像素子駆動回路１０３に制御信号を出力する。これにより、撮像素子７１で被写体像が撮像される。ＣＰＵ１０１は、撮像後にシャッター１の後幕遮光羽根群を走行させて撮影開口を遮蔽するようにシャッター駆動回路１１８に制御信号を出力する。これにより、第２ミラー３２１を透過した撮影光束が遮光される。
【００３６】
撮像素子７１で被写体像が撮像されると、ＡＦＥ１０４、Ａ／Ｄ変換回路１０５、およびＡＳＩＣ１０６でそれぞれ信号が処理される。ＣＰＵ１０１は、ＡＳＩＣ１０６で処理された画像データを、たとえば着脱可能な不図示の記憶媒体に記録させる。
【００３７】
また、撮像素子７１で被写体像が撮像されると、ＣＰＵ１０１は、メインミラーユニット３１０をダウン位置に、サブミラーユニット３２０を第１のダウン位置にそれぞれ移動するようにミラー駆動回路１１６に制御信号を出力する。ミラー駆動回路１１６は、ＣＰＵ１０１から出力される制御信号に基づいて、メインミラーユニット３１０をダウン位置に、サブミラーユニット３２０を第１のダウン位置にそれぞれ移動するようにミラーユニット３００の駆動を制御する。ＣＰＵ１０１は、シャッター１の先幕遮光羽根群および後幕遮光羽根群を撮影開始前の状態に戻すようにシャッター駆動回路１１８に制御信号を出力する。これにより、シャッター１の先幕遮光羽根群および後幕遮光羽根群が撮影開始前の状態に戻る。
【００３８】
なお、撮影モードがライブビュー撮影モードに設定されているため、ＣＰＵ１０１は、さらに、メインミラーユニット３１０をアップ位置に、サブミラーユニット３２０を第２のダウン位置に移動するようにミラー駆動回路１１６に制御信号を出力するとともに、シャッター１の先幕遮光羽根群だけを走行させて撮影開口を開放するようにシャッター駆動回路１１８に制御信号を出力する。また、ＣＰＵ１０１は、第２ミラー３２１を透過した撮影光束による被写体像を撮像素子７１で繰り返し撮像することでスルー画を得るように各部を制御するとともに、得られたスルー画（ライブビュー画像）をモニター１０７に表示するように各部を制御する。これにより、カメラボディ１００の各部がライブビュー撮影モードにおける撮影開始前の状態に復帰し、モニター１０７にはライブビュー画像が再び表示される。
【００３９】
−−−フローチャート−−−
図５は、上述した通常撮影モードまたはライブビュー撮影モードで撮影を行うプログラムの処理内容を示すフローチャートである。カメラボディ１００の不図示の電源スイッチがオンされると、所定時間毎にこの処理を行うプログラムが繰り返し起動されて、ＣＰＵ１０１で実行される。ステップＳ１において、撮影モードがライブビュー撮影モードに設定されているか否かを判断する。上述したように、不図示の電源スイッチがオンされると撮影モードが通常撮影モードに設定されるので、撮影モードが通常撮影モードに設定されている場合にライブビュースイッチ１０９からの操作信号を受信すると、ステップＳ１が肯定判断される。同様に、すでに撮影モードがライブビュー撮影モードに設定されている場合には、ステップＳ１が肯定判断される。逆に、撮影モードがライブビュー撮影モードに設定されている場合にライブビュースイッチ１０９からの操作信号を受信すると、ステップＳ１が否定判断される。同様に、すでに撮影モードが通常撮影モードに設定されている場合には、ステップＳ１が否定判断される。
【００４０】
ステップＳ１が肯定判断されるとステップＳ３へ進み、メインミラーユニット３１０（第１ミラー３１１）をアップ位置に、サブミラーユニット３２０（第２ミラー３２１）を第２のダウン位置にそれぞれ移動するようにミラー駆動回路１１６に制御信号を出力してステップＳ５へ進む。ステップＳ５において、シャッター１の先幕遮光羽根群だけを走行させて撮影開口を開放するようにシャッター駆動回路１１８に制御信号を出力してステップＳ７へ進む。ステップＳ７において、第２ミラー３２１を透過した撮影光束による被写体像を撮像素子７１で繰り返し撮像することでスルー画を得るように各部を制御するとともに、得られたスルー画をモニター１０７に表示するように各部を制御してステップＳ９へ進む。ステップＳ９において、半押し操作スイッチ１１０からの半押し操作信号を受信したか否かを判断する。
【００４１】
ステップＳ９が否定判断されるとステップＳ３へ戻る。ステップＳ９が肯定判断されるとステップＳ１１へ進み、撮像素子７１で繰り返し撮像することで得られたライブビュー画像に基づいて公知の測光演算を行い、シャッタ秒時、制御絞り値を算出するとともに、ＡＦ回路１１２から出力される焦点評価値の情報に基づいて公知の位相差ＡＦによる測距演算を行って、撮影レンズ２００のレンズ群２０１を駆動するための制御信号をＡＦレンズ駆動回路１１４に出力する。そして、撮像素子７１で繰り返し撮像することで得られたライブビュー画像に基づいて、公知のコントラストＡＦによってレンズ群２０１による焦点調節状態を制御するように制御信号をＡＦレンズ駆動回路１１４に出力する。ステップＳ１１が実行されるとステップＳ１３へ進み、全押し操作スイッチ１１１からの全押し操作信号を受信したか否かを判断する。
【００４２】
ステップＳ１３が否定判断されるとステップＳ３へ戻る。ステップＳ１３が肯定判断されるとステップＳ１５へ進み、サブミラーユニット３２０（第２ミラー３２１）を退避位置に移動するようにミラー駆動回路１１６に制御信号を出力してステップＳ１７へ進む。ステップＳ１７において、撮影レンズ２００の絞りがステップＳ１１で算出した制御絞り値に絞り込まれるように公知の絞り制御を行ってステップＳ１９へ進む。ステップＳ１９において、ステップＳ１１で算出したシャッタ秒時だけ撮像素子７１が露光されて被写体像が撮像されるように、撮像素子駆動回路１０３に制御信号を出力してステップＳ２１へ進む。
【００４３】
ステップＳ２１において、シャッター１の後幕遮光羽根群を走行させて撮影開口を遮蔽するようにシャッター駆動回路１１８に制御信号を出力してステップＳ２３へ進む。ステップＳ２３において、ステップＳ１９で撮像した被写体像の撮像信号に対して所定の画像処理、および記憶媒体への記憶処理を行うよう各部を制御してステップＳ２５へ進む。ステップＳ２５において、メインミラーユニット３１０をダウン位置に、サブミラーユニット３２０を第１のダウン位置にそれぞれ移動するようにミラー駆動回路１１６に制御信号を出力するとともに、シャッター１の先幕遮光羽根群および後幕遮光羽根群を撮影開始前の状態に戻すようにシャッター駆動回路１１８に制御信号を出力して本プログラムを終了する。
【００４４】
ステップＳ１が否定判断されるとステップＳ３１へ進み、半押し操作スイッチ１１０からの半押し操作信号を受信するまで待機する。ステップＳ３１が肯定判断されるとステップＳ３３へ進み、測光ユニット８０の出力信号に基づいて公知の測光演算を行い、シャッタ秒時、制御絞り値を算出するとともに、ＡＦ回路１１２から出力される焦点評価値の情報に基づいて公知の位相差ＡＦによる測距演算を行って、撮影レンズ２００のレンズ群２０１を駆動するための制御信号をＡＦレンズ駆動回路１１４に出力する。ステップＳ３３が実行されるとステップＳ３５へ進み、全押し操作スイッチ１１１からの全押し操作信号を受信したか否かを判断する。
【００４５】
ステップＳ３５が否定判断されるとステップＳ３１へ戻る。ステップＳ３５が肯定判断されるとステップＳ３７へ進み、メインミラーユニット３１０（第１ミラー３１１）をアップ位置に、サブミラーユニット３２０（第２ミラー３２１）を退避位置にそれぞれ移動するようにミラー駆動回路１１６に制御信号を出力してステップＳ３９へ進む。ステップＳ３９において、撮影レンズ２００の絞りがステップＳ３３で算出した制御絞り値に絞り込まれるように公知の絞り制御を行ってステップＳ４１へ進む。ステップＳ４１において、シャッター１の先幕遮光羽根群だけを走行させて撮影開口を開放するようにシャッター駆動回路１１８に制御信号を出力してステップＳ４３へ進む。ステップＳ４３において、ステップＳ３３で算出したシャッタ秒時だけ撮像素子７１が露光されて被写体像が撮像されるように、撮像素子駆動回路１０３に制御信号を出力してステップＳ４５へ進む。
【００４６】
ステップＳ４５において、ステップＳ４１でシャッター１の先幕遮光羽根群だけを走行させて撮影開口を開放してからステップＳ３３で算出したシャッタ秒時だけ経過した後にシャッター１の後幕遮光羽根群を走行させて撮影開口を遮蔽するようにシャッター駆動回路１１８に制御信号を出力してステップＳ４７へ進む。ステップＳ４７において、ステップＳ４３で撮像した被写体像の撮像信号に対して所定の画像処理、および記憶媒体への記憶処理を行うよう各部を制御してステップＳ４９へ進む。ステップＳ４９において、メインミラーユニット３１０をダウン位置に、サブミラーユニット３２０を第１のダウン位置にそれぞれ移動するようにミラー駆動回路１１６に制御信号を出力するとともに、シャッター１の先幕遮光羽根群および後幕遮光羽根群を撮影開始前の状態に戻すようにシャッター駆動回路１１８に制御信号を出力して本プログラムを終了する。
【００４７】
上述したカメラボディ１００および撮影レンズ２００では次の作用効果を奏する。
（１）  第２ミラー３２１をハーフミラーとし、サブミラーユニット３２０の第２のダウン位置において第２ミラー３２１が撮影光路内に位置して撮影光束の一部を反射させてＡＦモジュール５１へ導き、一部を透過させて撮像素子７１に導くように構成した。したがって、第２ミラー３２１（サブミラーユニット３２０）を撮影光路から退避させなくてもライブビュー画像を取得できる。これにより、ライブビュー画像の取得に引き続き本撮影を行う際に、位相差ＡＦによる測距演算のためだけにメインミラーユニット３１０やサブミラーユニット３２０を駆動する必要がないので、レリーズタイムラグを短縮できる。
【００４８】
たとえば、特開２００４−２６４８３２号公報に記載された撮像装置では、ライブビュー画像を取得するには、まずサブミラーを退避させ、その後メインミラーを撮像素子側に回動させなければならない。そのため、次のような点で不利である。
（ａ）  サブミラーの退避場所を確保しなければならず、撮像装置を小型化できない。
（ｂ）  サブミラーを退避させるための駆動機構が必要で複雑化してしまう。
（ｃ）  ライブビュー画像の取得および表示開始までに時間がかかってしまう。
（ｄ）  本撮影時には、メインミラーが撮影光路から退避する際のメインミラーの回動距離が従来のカメラよりも長くなるためレリーズタイムラグが長くなる。
【００４９】
これに対して、上述したカメラボディ１００および撮影レンズ２００では、特開２００４−２６４８３２号公報に記載された撮像装置のようなサブミラーの退避場所の確保やサブミラーを退避させるための駆動機構が不要となるので、カメラの大型化やミラー駆動機構の複雑化を防止できる。また、ライブビュー画像の取得および表示開始までの所要時間が短くて済む。さらに、本撮影時にサブミラーユニット３２０が第２のダウン位置から退避位置まで移動する際の回動距離が従来のカメラと略同じであるので、レリーズタイムラグが長くなるのを抑制できる。
【００５０】
（２）  ライブビュー撮影モード設定時に、メインミラーユニット３１０をアップ位置に、サブミラーユニット３２０を第２のダウン位置にそれぞれ移動させることで、第２ミラー３２１を透過した撮影光束による被写体像を撮像素子７１で繰り返し撮像することでスルー画を得るように構成した。そして、本撮影時には、サブミラーユニット３２０を第２のダウン位置から退避位置まで移動させた後に、撮像素子７１で被写体像を撮像するように構成した。したがって、本撮影時に撮影レンズ２００を通過した撮影光束の全てが撮像素子７１に到達できるので、暗い被写体であっても鮮明な画像を得ることができる。
【００５１】
（３）  ライブビュー撮影モード設定時に、位相差ＡＦによる制御によってレンズ群２０１による焦点調節状態を適切に調節した後に、コントラストＡＦによる制御によってレンズ群２０１による焦点調節状態をさらに微調節するように構成した。したがって、位相差ＡＦによって撮影レンズ２００のピントを素早く調節し、その後、コントラストＡＦによってさらに精度良く撮影レンズ２００のピント調節ができる。これにより、位相差ＡＦによる合焦速度の向上と、コントラストＡＦによる合焦精度の向上をと両立できる。
【００５２】
（４）  第１のダウン位置と、第２のダウン位置とで、第２ミラー３２１が略同一平面に位置するように構成した。したがって、第１のダウン位置と第２のダウン位置とで、ＡＦモジュール５１に入射する撮影光束の入射角度が略一致するので、通常撮影モード設定時とライブビュー撮影モード設定時とで位相差ＡＦによる測距精度を略同一に保つことができる。
【００５３】
（５）  メインミラーユニット３１０がアップ位置に回動されると開口部３１３が遮光部材３１４で遮蔽されるように構成した。これにより、ファインダ光学系６０からの光がミラーボックス２０内に漏れず、撮像素子７１はファインダ光学系６０からの光の影響を受けることがないので、ライブビュー撮影モードにおける位相差ＡＦ時の測距演算に与える悪影響を防止できるほか、モニター１０７に表示されるライブビュー画像の画質を良好に保てる。
【００５４】
−−−変形例−−−
（１）  上述の説明では、ライブビュー撮影モード設定時であっても、本撮影時には、サブミラーユニット３２０を第２のダウン位置から退避位置まで移動させた後に、撮像素子７１で被写体像を撮像するように構成したが、本発明はこれに限定されない。たとえば、ライブビュー撮影モードにおける本撮影時には、サブミラーユニット３２０を第２のダウン位置に位置させたまま、撮像素子７１で被写体像を撮像するように構成してもよい。このように構成した場合には、本撮影時にサブミラーユニット３２０を第２のダウン位置から退避位置まで移動させなくてもよいので、上述の説明の場合と比べて、レリーズタイムラグを少なくすることができる。
【００５５】
ライブビュー撮影モード設定時にサブミラーユニット３２０を第２のダウン位置に位置させたまま本撮影を行う場合には、撮影光束の一部が第２ミラー３２１で反射されてしまうため、上述の説明の場合と比べて撮像素子７１に到達できる撮影光束が減少する。そこで、この場合には撮影感度を向上させることで、撮像して得られる画像の明るさを適切に保つようにすることが望ましい。
【００５６】
なお、ライブビュー撮影モード設定時にサブミラーユニット３２０を第２のダウン位置に位置させたまま本撮影を行う場合であっても、メインミラーユニット３１０がアップ位置に回動されると開口部３１３が遮光部材３１４で遮蔽されるように構成されているので、ファインダ光学系６０からの光がミラーボックス２０内に漏れず、撮像素子７１はファインダ光学系６０からの光の影響を受けることがない。したがって、ライブビュー撮影モード設定時にサブミラーユニット３２０を第２のダウン位置に位置させたまま本撮影を行う場合であっても、撮像して得られる画像の画質を良好に保てる。
【００５７】
（２）  上述の説明では、ライブビュー撮影モード設定時であっても、本撮影時には、サブミラーユニット３２０を第２のダウン位置から退避位置まで移動させた後に、撮像素子７１で被写体像を撮像するように構成したが、本発明はこれに限定されない。たとえば、撮影モードがライブビュー撮影モードに設定されており、かつ、スポーツシーンの撮影に適した撮影モード（たとえばスポーツモード）や子供の撮影に適した撮影モード（たとえばキッズモード）などのように、動きのある被写体の撮影に適した撮影モードが設定されている場合には、サブミラーユニット３２０を第２のダウン位置に位置させたまま、撮像素子７１で被写体像を撮像するように構成してもよい。このように構成した場合には、本撮影時にサブミラーユニット３２０を第２のダウン位置から退避位置まで移動させなくてもよく、レリーズタイムラグを少なくすることができるので、動きのある被写体のシャッターチャンスを逃す恐れが少なくなる。
【００５８】
また、これとは逆に、たとえば、撮影モードがライブビュー撮影モードに設定されており、かつ、たとえば上述したスポーツモードやキッズモードのような撮影モードではなく、静物の撮影に適した撮影モードが設定されている場合には、サブミラーユニット３２０を第２のダウン位置から退避位置まで移動させた後に、撮像素子７１で被写体像を撮像するように構成してもよい。このように構成した場合には、本撮影時に撮影レンズ２００を通過した撮影光束の全てが撮像素子７１に到達できるので、暗い被写体であっても鮮明な画像を得ることができる。
【００５９】
（３）  上述の説明では、ライブビュー撮影モード設定時であっても、本撮影時には、サブミラーユニット３２０を第２のダウン位置から退避位置まで移動させた後に、撮像素子７１で被写体像を撮像するように構成したが、本発明はこれに限定されない。たとえば、ＣＰＵ１０１が、撮像素子７１で繰り返し撮像することで得られたライブビュー画像に基づいて、被写体像の移動方向および移動量を動きベクトルとして検出するように構成する。そして、撮影モードがライブビュー撮影モードに設定されており、かつ、たとえば、検出した動きベクトルのスカラー量が所定のしきい値を超えている場合（すなわち被写体に動きがあると判断される場合）には、サブミラーユニット３２０を第２のダウン位置に位置させたまま、撮像素子７１で被写体像を撮像するように構成してもよい。逆に、撮影モードがライブビュー撮影モードに設定されており、かつ、たとえば、検出した動きベクトルのスカラー量が所定のしきい値以下である場合（すなわち被写体に動きがない、或いは動きが少ないと判断される場合）には、サブミラーユニット３２０を第２のダウン位置から退避位置まで移動させた後に、撮像素子７１で被写体像を撮像するように構成してもよい。このように構成した場合であっても、上記（２）の作用効果と同様の作用効果を奏する。
【００６０】
（４）  上述の説明では、メインミラーユニット３１０がアップ位置に回動されると開口部３１３が遮光部材３１４で遮蔽されて、ファインダ光学系６０からの光がミラーボックス２０内に漏れないように構成しているが、本発明はこれに限定されない。たとえば、撮影モードがライブビュー撮影モードに設定されると、たとえばペンタプリズム６１の後方などのファインダ光学系６０の光路内に挿入されて、ファインダ光学系６０からの光がミラーボックス２０内に漏れないように遮光し、撮影モードが通常撮影モードに設定されると当該光路から退避するような部材を設けるように構成してもよい。また、当該部材に替えて、撮影モードがライブビュー撮影モードに設定されるとファインダ光学系６０からの光がミラーボックス２０内に漏れないように遮光し、撮影モードが通常撮影モードに設定されるとミラーボックス２０からの光をファインダ光学系６０側に透過させることができる液晶パネルをファインダ光学系６０の光路内に設けるように構成してもよい。
（５）  上述した各実施の形態および変形例は、それぞれ組み合わせてもよい。
【００６１】
なお、本発明は、上述した実施の形態のものに何ら限定されず、撮影光路中に挿入されるダウン位置と、撮影光路から退避したアップ位置との２位置の間で駆動され、撮影レンズを透過した撮影光束を反射してファインダ光学系に導くとともに、一部の光束を透過させるメインミラーと、メインミラーを透過した撮影光束を反射するとともに、一部の光束を透過させるサブミラーと、サブミラーで反射された撮影光束に基づいて撮影レンズによる焦点調節状態を検出する焦点検出手段と、撮影光束を撮像する撮像素子とを備え、サブミラーは、撮影光路中に挿入された状態で、反射させた撮影光束を焦点検出手段に入射させるとともに、透過させた撮影光束を前記撮像素子に入射させることを特徴とする各種構造のカメラを含むものである。
【図面の簡単な説明】
【００６２】
【図１】本発明によるカメラであるカメラボディ１００と撮影レンズ２００の断面を模式的に示す図である。
【図２】カメラボディ１００の各部を制御する回路構成を示す図である。
【図３】カメラボディ１００と撮影レンズ２００の断面を模式的に示す図である。
【図４】カメラボディ１００と撮影レンズ２００の断面を模式的に示す図である。
【図５】通常撮影モードまたはライブビュー撮影モードで撮影を行うプログラムの処理内容を示すフローチャートである。
【符号の説明】
【００６３】
１  シャッター                              ２０  ミラーボックス
５１  ＡＦモジュール                        ６０  ファインダ光学系
７０  撮像ユニット                          ７１  撮像素子
１００  カメラボディ                        １０１  ＣＰＵ
１０７  モニター                            ２００  撮影レンズ（交換レンズ）
３００  ミラーユニット                      ３１０  メインミラーユニット
３１１  メインミラー（第１ミラー）          ３１３  開口部
３１４  遮光部材                            ３２０  サブミラーユニット
３２１  サブミラー（第２ミラー）
【図１】
2010128461.tif 000003
【図２】
2010128461.tif 000004
【図３】
2010128461.tif 000005
【図４】
2010128461.tif 000006
【図５】
2010128461.tif 000007